(57)【要約】【課題】構成が小型かつ簡単で重量も軽く使い勝手やメンテナンス性が良好で普段の生活で日常的使用することができ、さらに水害時には避難具としても使用することができるベッドおよび敷きマットを提供する。【解決手段】ベッド１００は、２つの小ベッド１１０，１１０で構成されている。小ベッド１１０は、敷きマット１１１および筒状壁体１１２を備えている。敷きマット１１１は、使用者Ｕの身長以上に延びる平面視で長方形状に形成されている。また、敷きマット１１１は、筒状壁体１１２とともに小ベッド１１０全体として使用者Ｕの重さでは沈まない浮力を有した硬質ウレタン発泡体で構成されている。筒状壁体１１２は、敷きマット１１１の４辺からそれぞれ下垂する４つの側壁１１２ａ〜１１２ｄで構成されている。側壁１１２ａ〜１１２ｄは、平板状の硬質ウレタン発泡体で構成されており、内側に空洞部１１７が形成されている。【選択図】  図１
2020065835.tif 000002
【特許請求の範囲】
【請求項１】
人の就寝時に用いるベッドであって、
就寝する使用者の下方に敷かれて同使用者を下方から支持する敷きマットと、
前記敷きマットの外縁部から同敷きマットの下面を囲むように下方に向かって壁状に延びて前記敷きマットを床面の上方で水平に支持する筒状壁体と、
前記筒状壁体によって同筒状壁体の内側に形成された空洞部とを備え、
前記敷きマットおよび前記筒状壁体は、
それぞれ硬質ウレタン発泡体で構成されて前記敷きマットおよび前記筒状壁体の全体として少なくとも一人の前記使用者の重さでは水中には沈まない浮力を有して構成されていることを特徴とするベッド。
【請求項２】
請求項１に記載したベッドにおいて、
前記敷きマットは、
前記使用者の身長方向に延びる平面視で長方形状に形成されており、
前記筒状壁体は、
前記敷きマットにおける四辺からそれぞれ延びる板状に形成されていることを特徴とするベッド。
【請求項３】
請求項２に記載したベッドにおいて、
前記敷きマットは、
前記使用者の身長方向または幅方向に２つ以上に分割されており、
前記筒状壁体は、
前記２つ以上に分割された前記各敷きマットごとにそれぞれ形成されるとともに互いに隣接する前記各筒状壁体同士を連結するための連結部をそれぞれ備えていることを特徴とするベッド。
【請求項４】
請求項２または請求項３に記載したベッドにおいて、
前記２つ以上の筒状壁体は、
互いに隣接し合う前記筒状壁体における互いに対向し合う部分に先端部から前記敷きマット側に向かって凹状に切り欠かれた凹状切欠き部がそれぞれ形成されていることを特徴とするベッド。
【請求項５】
請求項１ないし請求項４のうちのいずれか１つに記載したベッドにおいて、
前記筒状壁体は、
内側面にオールを着脱自在に備えていることを特徴とするベッド。
【請求項６】
人の就寝時に用いるベッドであって、
就寝する使用者の下方に敷かれて同使用者を下方から支持する敷きマットと、
床面の上方で前記敷きマットを着脱自在に支持するマット支持体とを備え、
前記敷きマットは、
前記マット支持体の周囲からはみ出さない大きさの板状に形成されるとともに、少なくとも一人の前記使用者の重さでは水中には沈まない浮力を有した硬質ウレタン発泡体で構成されていることを特徴とするベッド。
【請求項７】
請求項６に記載したベッドにおいて、
前記マット支持体は、
前記敷きマットの外周部を囲むマット包囲壁を備え、
前記敷きマットは、
前記マット包囲壁の内側に嵌め込まれていることを特徴とするベッド。
【請求項８】
請求項６に記載したベッドにおいて、
前記マット支持体は、
前記敷きマットにおける左右の幅方向の各側壁のうちの少なくとも一方の側壁を露出させた状態で前記敷きマットを支持することを特徴とするベッド。
【請求項９】
人の就寝時に用いるベッド上に設けられて就寝する使用者を下方から支持する敷きマットであって、
前記敷きマットは、
前記ベッドの周囲からはみ出さない大きさの板状に形成されるとともに、少なくとも一人の前記使用者の重さでは水中には沈まない浮力を有した硬質ウレタン発泡体で構成されていることを特徴とする敷きマット。
【発明の詳細な説明】
【技術分野】
【０００１】
本発明は、平時は寝具として使用しながら水害時には避難具としても使用することができるベッドおよび敷きマットに関する。
【背景技術】
【０００２】
従来から、平時はベッド使用しながら水害時には避難具としても使用することができる家具がある。例えば、下記特許文献１には、人が寝るマット部材の下方にこのマット部材を浮かせるための浮力部を備えたボート兼用シェルタベッドが開示されている。
【先行技術文献】
【特許文献】
【０００３】
【特許文献１】特開２００７−２２２３２０号公報
【０００４】
しかしながら、上記特許文献１に記載したボート兼用シェルタベッドにおいては、構成が大型かつ複雑で重量も重く使い勝手やメンテナンス性に乏しく普段の生活で日常的使用するには現実的でなく使い難いという問題がある。
【発明の概要】
【０００５】
本発明は上記問題に対処するためなされたもので、その目的は、構成が小型かつ簡単で重量も軽く使い勝手やメンテナンス性が良好で普段の生活で日常的使用することができ、さらに水害時には避難具としても使用することができるベッドおよび敷きマットを提供することにある。
【０００６】
上記目的を達成するため、本発明の特徴は、人の就寝時に用いるベッドであって、就寝する使用者の下方に敷かれて同使用者を下方から支持する敷きマットと、敷きマットの外縁部から同敷きマットの下面を囲むように下方に向かって壁状に延びて敷きマットを床面の上方で水平に支持する筒状壁体と、筒状壁体によって同筒状壁体の内側に形成された空洞部とを備え、敷きマットおよび筒状壁体は、それぞれ硬質ウレタン発泡体で構成されて敷きマットおよび筒状壁体の全体として少なくとも一人の使用者の重さでは水中には沈まない浮力を有して構成されていることにある。
【０００７】
この場合、硬質ウレタン発泡体とは、ＮＣＯ（イソシアネート）基を２個以上有するポリイソシアネートとＯＨ（ヒドロキシル）基を２個以上有するポリオールとを、触媒（例えば、アミン化合物など）、発泡剤（例えば、水やフルオロカーボンなど等）および整泡剤（例えば、シリコーンオイル）など（以下、これらを「ウレタン樹脂原料」という）と混合して泡化反応と樹脂化反応とを同時に行わせることによって得られる均質なプラスチック発泡体である。また、本願発明における硬質ウレタン発泡体は、圧縮強さ（１０％圧縮）が少なくとも２．０ｋｇｆ／ｃｍ2以上である。
【０００８】
このように構成した本発明の特徴によれば、ベッドは、使用者が寝る敷きマットの裏側の下面側に筒状壁体で囲まれた空洞部が形成されているとともに、敷きマットおよび筒状壁体の全体として少なくとも一人の使用者の重さでは水中には沈まない浮力を有した硬質ウレタン発泡体で構成されている。このため、使用者は、普段はベッドの敷きマット上で就寝しながら、水害時にはベッドの天地をひっくり返すことで敷きマットを船底とし、筒状壁体を船の側壁とし、空洞部を乗船空間とする船として使用することができる。この結果、本発明に係るベッドは、構成が小型かつ簡単で重量も軽く使い勝手やメンテナンス性が良好で普段の生活で日常的使用することができ、さらに水害時には避難具としても使用することができる。
【０００９】
また、本発明の他の特徴は、前記ベッドにおいて、敷きマットは、使用者の身長方向に延びる平面視で長方形状に形成されており、筒状壁体は、敷きマットにおける四辺からそれぞれ延びる板状に形成されていることにある。
【００１０】
このように構成した本発明の他の特徴によれば、ベッドは、敷きマットが使用者の身長方向に延びる平面視で長方形状に形成されているとともに、筒状壁体が敷きマットにおける四辺からそれぞれ延びる板状に形成されているため、ベッドとして使用し易いとともに船として使用したとき水害現場で船同士を密着した状態で並べ易く使い勝手を良好にすることができる。
【００１１】
また、本発明の他の特徴は、前記ベッドにおいて、敷きマットは、使用者の身長方向または幅方向に２つ以上に分割されており、筒状壁体は、２つ以上に分割された各敷きマットごとにそれぞれ形成されるとともに互いに隣接する各筒状壁体同士を連結するための連結部をそれぞれ備えていることにある。
【００１２】
このように構成した本発明の他の特徴によれば、ベッドは、使用者の身長方向または幅方向に２つ以上に分割された敷きマットおよび筒状壁体で構成されるとともに各筒状壁が連結部を備えて構成されている。すなわち、本発明に係るベッドは、１つのベッドを２つ以上の小ベッドで構成している。このため、本発明に係るベッドによれば、１つのベッドをそれぞれ１つずつの敷きマットおよび筒状壁体ベッドで構成する場合に比べて、小型かつ軽量の小ベッドごとにベッドの移動および船として使用する際のひっくり返し作業を行うことができ作業性を向上させることができる。
【００１３】
また、本発明の他の特徴は、前記ベッドにおいて、２つ以上の筒状壁体は、互いに隣接し合う筒状壁体における互いに対向し合う部分に先端部から敷きマット側に向かって凹状に切り欠かれた凹状切欠き部がそれぞれ形成されていることにある。
【００１４】
このように構成した本発明の他の特徴によれば、ベッドは、２つ以上の筒状壁体が互いに隣接し合う筒状壁体における互いに対向し合う部分に先端部から敷きマット側に向かって凹状に切り欠かれた凹状切欠き部がそれぞれ形成されているため、乗船者は２つの敷きマットの筒状壁体間で行き来し易くなるとともに携行品も載せ易くことができる。また、ベッドは、ベッドとしての使用時には空洞部への開口部として機能するため同空洞部を物品を収納する場合や空洞部内の掃除をし易くすることができる。
【００１５】
また、本発明の他の特徴は、前記ベッドにおいて、筒状壁体は、内側面にオールを着脱自在に備えていることにある。
【００１６】
このように構成した本発明の他の特徴によれば、ベッドは、筒状壁体が内側面にオール（櫂）を着脱自在に備えているため、このベッドを船として使用した場合にオールを取り外して船を所望する方向に漕ぐことができる。
【００１７】
上記目的を達成するため、本発明の特徴は、人の就寝時に用いるベッドであって、就寝する使用者の下方に敷かれて同使用者を下方から支持する敷きマットと、床面の上方で敷きマットを着脱自在に支持するマット支持体とを備え、敷きマットは、マット支持体の周囲からはみ出さない大きさの板状に形成されるとともに、少なくとも一人の使用者の重さでは水中には沈まない浮力を有した硬質ウレタン発泡体で構成されていることにある。
【００１８】
この場合、硬質ウレタン発泡体とは、ＮＣＯ（イソシアネート）基を２個以上有するポリイソシアネートとＯＨ（ヒドロキシル）基を２個以上有するポリオールとを、触媒（例えば、アミン化合物など）、発泡剤（例えば、水やフルオロカーボンなど等）および整泡剤（例えば、シリコーンオイル）など（以下、これらを「ウレタン樹脂原料」という）と混合して泡化反応と樹脂化反応とを同時に行わせることによって得られる均質なプラスチック発泡体である。また、本願発明における硬質ウレタン発泡体は、圧縮強さ（１０％圧縮）が少なくとも２．０ｋｇｆ／ｃｍ2以上である。
【００１９】
このように構成した本発明の特徴によれば、ベッドは、使用者が寝る敷きマットが少なくとも一人の使用者の重さでは水中には沈まない浮力を有した硬質ウレタン発泡体で構成されているため、普段はベッドとして使用しながら、水害時にはマット支持体から取り外して板状の船として使用することができる。この結果、本発明に係るベッドは、構成が小型かつ簡単で重量も軽く使い勝手やメンテナンス性が良好で普段の生活で日常的使用することができ、さらに水害時には避難具としても使用することができる。
【００２０】
また、本発明の他の特徴は、前記ベッドにおいて、マット支持体は、敷きマットの外周部を囲むマット包囲壁を備え、敷きマットは、マット包囲壁の内側に嵌め込まれていることにある。
【００２１】
このように構成した本発明の他の特徴によれば、ベッドは、マット支持体が敷きマットの外周部を囲むマット包囲壁を備えて敷きマットがこのマット包囲壁の内側に嵌め込まれているため、ベッドとしての使用時における敷きマットの位置ずれを防止することができる。
【００２２】
また、本発明の他の特徴は、前記ベッドにおいて、マット支持体は、敷きマットにおける左右の幅方向の各側壁のうちの少なくとも一方の側壁を露出させた状態で敷きマットを支持することにある。
【００２３】
このように構成した本発明の他の特徴によれば、ベッドは、マット支持体が敷きマットにおける左右の幅方向の各側壁のうちの少なくとも一方の側壁を露出させた状態で敷きマットを支持するため、水害時には敷きマットを素早くマット支持体から取り外して船として使用することができる。
【００２４】
上記目的を達成するため、本発明の特徴は、人の就寝時に用いるベッド上に設けられて就寝する使用者を下方から支持する敷きマットであって、敷きマットは、ベッドの周囲からはみ出さない大きさの板状に形成されるとともに、少なくとも一人の使用者の重さでは水中には沈まない浮力を有した硬質ウレタン発泡体で構成されていることにある。
【００２５】
このように構成した本発明の特徴によれば、敷きマットは、少なくとも一人の使用者の重さでは水中には沈まない浮力を有した硬質ウレタン発泡体で構成されているため、普段はベッド上に載置して敷きマットとして使用しながら、水害時にはベッド上から取り外して板状の船として使用することができる。この結果、本発明に係る敷きマットは、構成が小型かつ簡単で重量も軽く使い勝手やメンテナンス性が良好で普段の生活で日常的使用することができ、さらに水害時には避難具としても使用することができる。
【図面の簡単な説明】
【００２６】
【図１】本発明の第１実施形態に係るベッドのベッドとしての使用状態での外観構成の概略を示す斜視図である。
【図２】図１に示したベッドを構成する小ベッドのベッドとしての使用状態での外観構成の概略を示す斜視図である。
【図３】図１に示したベッドを構成する小ベッドの船としての使用状態での外観構成の概略を示す斜視図である。
【図４】図１に示したベッドの船としての使用状態での外観構成の概略を示す斜視図である。
【図５】本発明の第２実施形態に係るベッドのベッドとしての使用状態での外観構成の概略を示す斜視図である。
【図６】図５に示したベッドを構成する敷きマットの外観構成の概略を示す斜視図である。
【図７】図５に示したベッドを構成するマット支持体の外観構成の概略を示す斜視図である。
【図８】本発明の変形例に係るベッドのベッドとしての使用状態での外観構成の概略を示す斜視図である。
【図９】図８に示したベッドを構成する敷きマットおよびマット支持体を分解した分解斜視図である。
【発明を実施するための形態】
【００２７】
（第１実施形態）
以下、本発明に係るベッドの第１実施形態について図面を参照しながら説明する。図１は、本発明に係るベッド１００の外観構成の概略を示す斜視図である。このベッド１００は、普段は使用者Ｕがベッドとして使用するとともに、水害時には船として使用することができる寝具兼避難用具である。
【００２８】
（ベッド１００の構成）
ベッド１００は、２つの小ベッド１１０，１１０で構成されている。これらの小ベッド１１０，１１０は、互いに同じ構成であるため一方の小ベッド１１０について説明する。
【００２９】
小ベッド１１０は、図２および図３にそれぞれ示すように、敷きマット１１１を備えている。敷きマット１１１は、使用者Ｕの下に敷かれて使用者Ｕを下方から支持するとともにベッド１００が船として使用される場合には船底を構成する部品であり、平板状に形成した硬質ウレタン発泡体で構成されている。より具体的には、敷きマット１１１は、ポリ塩化ビニル樹脂（ＰＶＣ）製のシート材からなる袋体内に硬質ウレタン発泡体を充填して構成されている。なお、図１においては、使用者Ｕを二点鎖線で示している。
【００３０】
本実施形態においては、敷きマット１１１は、使用者Ｕの身長以上の長さ（例えば、２００ｃｍ）の長辺およびベッド１００の幅方向の長さの半分（例えば、５０ｃｍ）の長さで長辺に直交する幅方向となる短辺を有する平面視で長方形状に形成されている。また、敷きマット１１１の厚さは、７ｃｍに形成されている。また、敷きマット１１１は、後述する筒状壁体１１２とともに小ベッド１１０全体として使用者Ｕの重さでは沈まない浮力を有した硬質ウレタン発泡体で構成されている。本実施形態においては、小ベッド１１０は、１つの小ベッド１１０で大人５名（約３００ｋｇ）までの重さでも沈まない浮力を有するように構成されている。
【００３１】
ここで、硬質ウレタン発泡体は、敷きマット１１１に浮力を与える材料であり、ＮＣＯ（イソシアネート）基を２個以上有するポリイソシアネートとＯＨ（ヒドロキシル）基を２個以上有するポリオールとを、触媒（例えば、アミン化合物など）、発泡剤（例えば、水やフルオロカーボンなど等）および整泡剤（例えば、シリコーンオイル）などと混合して泡化反応と樹脂化反応とを同時に行わせることによって得られる均質なプラスチック発泡体である。本実施形態においては、硬質ウレタン発泡体は、圧縮強さ（１０％圧縮）が少なくとも２．０ｋｇｆ／ｃｍ2以上である。すなわち、硬質ウレタン発泡体は、固体状であるが弾性変形が一切しないものに限定するものではなく、外部から受ける圧力によって弾性変形するものである。
【００３２】
この敷きマット１１１は、使用者Ｕが就寝時に身体を載せる寝床面１１１ａとは反対側の下面１１１ｂ側に筒状壁体１１２が形成されている。筒状壁体１１２は、敷きマット１１１をベッド１００が設置される床面の上方で支持するとともにベッド１００が船として使用される場合には船体における側壁を構成する部品であり、敷きマット１１１の４辺からそれぞれ下垂する４つの側壁１１２ａ〜１１２ｄで構成されている。
【００３３】
４つの側壁１１２ａ〜１１２ｄは、前記敷きマット１１１と同様に、ポリ塩化ビニル樹脂（ＰＶＣ）製のシート材からなる袋体内に硬質ウレタン発泡体を充填して平板状に構成されている。これらの側壁１１２ａ〜１１２ｄは、敷きマット１１１の４つ辺および互いに隣接する側壁１１２ａ〜１１２ｄ間で図示しない接着剤および粘着テープを用いて連結されている。すなわち、４つの側壁１１２ａ〜１１２ｄは、敷きマット１１１の下面１１１ｂの四方を囲むように形成されて側壁１１２ａ〜１１２ｄの内側に空洞部１１７を形成している。
【００３４】
ここで、４つの側壁１１２ａ〜１１２ｄをそれぞれ構成する硬質ウレタン発泡体は、前記敷きマット１１１を構成する硬質ウレタン発泡体と同じ材質で構成されている。そして、これら４つの側壁１１２ａ〜１１２ｄで構成される筒状壁体１１２は、前記敷きマット１１１とともに小ベッド１１０の全体として使用者Ｕの重さでは沈まない浮力を有して構成されている。また、これら４つの側壁１１２ａ〜１１２ｄは、敷きマット１１１における寝床面１１１ａを水平に支持するために敷きマット１１１に対して同じ張り出し量（丈）で形成されている。
【００３５】
側壁１１２ａ，１１２ｂは、敷きマット１１１の２つの長辺にそれぞれ設けられており、敷きマット１１１の長辺と同じ長さおよび敷きマット１１１と同じ厚さで形成されている。これらの側壁１１２ａ，１１２ｂのうちの側壁１１２ａには、凹状切欠き部１１３が形成されている。
【００３６】
凹状切欠き部１１３は、図４に示すように、２つの小ベッド１１０同士を互いに連結してベッド１００を船として使用する際に２つの小ベッド１１０間で使用者Ｕの移動をし易くするとともにベッド１００をベッドとして使用する際に空洞部１１７内にアクセスするための部分であり、側壁１１２ａの先端部から下面１１１ｂ側に向かって凹状に切り欠かれた形状に形成されている。
【００３７】
より具体的には、凹状切欠き部１１３は、側壁１１２ａの長手方向の中央部の両側部分がそれぞれ方形状に凹んだ形状に形成されている。この場合、各凹状切欠き部１１３における下面１１１ｂ側への切欠き量（凹み量）は、側壁１１２ａの高さ（丈）の半分以下の切欠き量が好ましい。本実施形態においては、各凹状切欠き部１１３の切欠き量は、２０ｃｍである。なお、図４においては、使用者Ｕを二点鎖線で示している。
【００３８】
また、側壁１１２ａ，１１２ｂの各内側面には、オール１１４がそれぞれ設けられている。オール１１４は、ベッド１００を船として使用する際に使用者Ｕが船を漕ぐ櫂として用いるものであり、棒体の先端部に平板体が設けられて構成されている。このオール１１４は、側壁１１２ａ，１１２ｂの各内側面に設けられてオール１１４の柄を挟持して保持する樹脂製の保持体１１４ａによって着脱自在に保持されている。
【００３９】
側壁１１２ｃ，１１２ｄは、敷きマット１１１の２つの短辺にそれぞれ設けられており、敷きマット１１１の短辺と同じ長さおよび敷きマット１１１と同じ厚さで形成されている。これらの側壁１１２ｃ，１１２ｄの各外側面には、連結部１１５がそれぞれ設けられている。
【００４０】
連結部１１５は、ベッド１００をベッドとして使用する際に２つの小ベッド１１０同士を互いに連結するための部品であり、ベッド１００の上下方向に延びる長方形状の樹脂製のシートに複数の貫通孔が形成されて構成されている。この連結部１１５は、側壁１１２ｃ，１１２ｄの幅方向中央部に上下方向に沿って図示しない接着剤および粘着テープによって取り付けられている。これにより、連結部１１５は、幅方向の両側に屈曲可能に構成されている。そして、この連結部１１５は、互いに隣接する小ベッド１１０，１１０間の連結部１１５同士でロープ１１６が通されて縛られることで２つの小ベッド１１０，１１０を互いに連結する。
【００４１】
空洞部１１７は、ベッド１００をベッドとして使用する際に敷きマット１１１の下方に形成された収納部として使用できるとともに、ベッド１００を船として使用した際に使用者Ｕが乗船する空間として使用する部分である。この空洞部１１７は、小ベッド１１０をひっくり返して敷きマット１１１の寝床面１１１ａを下方に向けた場合に上方に開口する凹状に窪んで形成されている。
【００４２】
（ベッド１００の作動）
次に、上記のように構成したベッド１００の作動について説明する。まず、ベッド１００を使用する使用者Ｕは、２つの小ベッド１１０，１１０をそれぞれ用意する。この場合、小ベッド１１０，１１０は、寝室などの居室に用意される。次に、使用者Ｕは、ベッド１００をベッドとして使用できるように組み立てる。具体的には、使用者Ｕは、２つの小ベッド１１０，１１０を各敷きマット１１１の寝床面１１１ａが上方に向く向きで筒状壁体１１２を床面上に載置する（図２参照）。これにより、小ベッド１１０，１１０は、床面上に寝床面１１１ａが筒状壁体１１２によって支持された状態で配置される。
【００４３】
次に、使用者Ｕは、２つの小ベッド１１０，１１０を敷きマット１１１の長辺同士を互いに密着させる。この場合、使用者Ｕは、２つの小ベッド１１０，１１０における各側壁１１２ｂ同士を互いに密着させる。これにより、２つの小ベッド１１０，１１０は、各凹状切欠き部１１３が外側に露出した状態で密着配置される（図１参照）。
【００４４】
次に、使用者Ｕは、２つのロープ１１６を用意して互いに隣接配置された２つの小ベッド１１０，１１０間で各側壁１１２ｃ，１１２ｄごとに互いに隣接する２つの連結部１１５同士をロープで縛って連結する（図１参照）。これにより、使用者Ｕは、２つの小ベッド１１０，１１０を一体的に連結してベッド１００を完成させることができる。したがって、使用者Ｕは、ベッド１００を構成する２つの小ベッド１１０，１１０における２つの敷きマット１１１上に寝ることができる。
【００４５】
また、使用者Ｕは、凹状切欠き部１１３を介して空洞部１１７内を掃除することができる。例えば、使用者Ｕは、自律して床面を掃除する掃除ロボットを凹状切欠き部１１３から空洞部１１７内に進入させて空洞部１１７内の床面を掃除することができる。また、使用者Ｕは、凹状切欠き部１１３を介して物品を出し入れすることで空洞部１１７を物品の収納空間として使用することができる。
【００４６】
次に、使用者Ｕは、ベッド１００を船として使用することができる。このベッド１００を船として使用する場合とは、水害などで浸水した建物から避難する場合である。具体的には、使用者Ｕは、２つの小ベッド１１０，１１０を互いに連結している前記２つのロープ１１６をそれぞれ解いて２つの小ベッド１１０，１１０の連結状態を解消して分離する。
【００４７】
次に、使用者Ｕは、２つの小ベッド１１０，１１０の各敷きマット１１１が筒状壁体１１２の下方となるように天地をそれぞれひっくり返す（図３参照）。次に、使用者Ｕは、２つの小ベッド１１０，１１０を敷きマット１１１の長辺同士を互いに密着させる。この場合、使用者Ｕは、２つの小ベッドにおける側壁１１２ａ同士を互いに密着させる。これにより、２つの小ベッド１１０，１１０は、各凹状切欠き部１１３が内側に対向して連通した状態で密着配置される（図４参照）。
【００４８】
次に、使用者Ｕは、２つのロープ１１６を用いて互いに隣接配置された２つの小ベッド１１０，１１０間で各側壁１１２ｃ，１１２ｄごとに互いに隣接する２つの連結部１１５同士をロープで縛って連結する（図４参照）。これにより、使用者Ｕは、２つの小ベッド１１０，１１０を一体的に連結してベッド１００を船として完成させることができる。したがって、使用者Ｕは、ベッド１００を構成する２つの小ベッド１１０，１１０における２つの空洞部１１７のうちの少なくとも一方に乗り込んで船として使用することができる。
【００４９】
この場合、使用者Ｕは、側壁１１２ｄの内側面に保持されているオール１１４を保持体１１４ａから取り外して船となったベッド１００を漕いで水上を移動することができる。また、使用者Ｕは、連結部１１５を用いて他のベッド１００と連結して船を大きくかつ沈み難くすることができる。また、使用者Ｕは、２つの小ベッド１１０，１１０を繋いでいるロープ１１６を解いて１つの小ベッド１１０単体で水上を移動することもできる。
【００５０】
上記作動説明からも理解できるように、上記第１実施形態によれば、ベッド１００は、使用者Ｕが寝る敷きマット１１１の裏側の下面１１１ｂ側に筒状壁体１１２で囲まれた空洞部１１７が形成されているとともに、敷きマット１１１および筒状壁体１１２の全体として少なくとも一人の使用者の重さでは水中には沈まない浮力を有した硬質ウレタン発泡体で構成されている。このため、使用者Ｕは、普段はベッド１００の敷きマット１１１上で就寝しながら、水害時にはベッド１００の天地をひっくり返すことで敷きマット１１１を船底とし、筒状壁体１１２を船の側壁とし、空洞部１１７を乗船空間とする船として使用することができる。この結果、本発明に係るベッド１００は、構成が小型かつ簡単で重量も軽く使い勝手やメンテナンス性が良好で普段の生活で日常的使用することができ、さらに水害時には避難具としても使用することができる。
【００５１】
さらに、本発明の実施にあたっては、上記第１実施形態に限定されるものではなく、本発明の目的を逸脱しない限りにおいて種々の変更が可能である。
【００５２】
例えば、上記第１実施形態においては、ベッド１００は、使用者Ｕの身長方向に２分割した２つの小ベッド１１０，１１０で構成した。しかし、ベッド１００は、使用者Ｕの左右の幅方向に２分割した２つの小ベッド１１０，１１０で構成することができる。また、ベッド１００は、使用者Ｕの身長方向または幅方向に３分割以上した小ベッド１１０を用意して構成することもできる。これらの場合、複数の小ベッド１１０は、互いに同じ大きさであってもよいし、互いに異なる大きさであってもよい。また、ベッド１００は、１つの敷きマット１１１で１人の使用者Ｕまたは２人以上の使用者Ｕが就寝可能な大きさに形成されていてもよい。この場合、ベッド１００は、連結部１１５およびロープ１１６を省略することができる。
【００５３】
また、上記実施形態においては、ベッド１００は、側壁１１２ａに凹状切欠き部１１３を設けて構成した。しかし、ベッド１００は、側壁１１２ａに代えてまたは加えて側壁１１２ｂ〜１１２ｄに凹状切欠き部１１３を設けて構成することもできる。また、ベッド１００は、凹状切欠き部１１３を省略して構成することもできる。
【００５４】
また、上記実施形態においては、敷きマット１１１は、平面視で長方形状に形成した。しかし、敷きマット１１１は、使用者Ｕが就寝できる形状に形成されていればよい。したがって、敷きマット１１１は、長方形状以外の形状、例えば、正方形などの方形、三角形や五角形などの多角形、円形または楕円形などに形成することができる。
【００５５】
また、上記実施形態においては、連結部１１５は、図示上下方向に帯状に延びるシート材に複数の貫通孔を設けて構成した。しかし、連結部１１５は、互いに隣接する２つの小ベッド１１０，１１０を互いに連結できればよい。したがって、連結部１１５は、例えば、互いに隣接し合う側壁１１２ａと側壁１１２ａ、側壁１１２ａと側壁１１２ｂまたは側壁１１２ｂと側壁１１２ｂとの間に跨るように設けられる面ファスナで構成することができる。また、連結部１１５は、互いに隣接する２つの小ベッド１１０，１１０における２つの筒状壁体１１２の外周部を縛る紐やベルトで構成することもできる。
【００５６】
また、上記実施形態においては、使用者は、ベッド１００を船として使用する場合に２つの小ベッド１１０，１１０における側壁１１２ａ同士を互いに対向配置して連結するように構成した。しかし、使用者は、ベッド１００を船として使用する場合に２つの小ベッド１１０，１１０における側壁１１２ｂ同士を互いに対向配置して連結、すなわち、ベッドとしての使用時と同じように連結してもよい。これによれば、ベッド１００は、凹状切欠き部１１３が船体の外側面に設けられるため、船としてのベッド１００内への出入りを容易にすることができる。
【００５７】
（第２実施形態）
次に、本発明に係るベッドの第２実施形態について図面を参照しながら説明する。図５は、本発明に係るベッド２００の外観構成の概略を示す斜視図である。このベッド２００は、普段は使用者Ｕがベッドとして使用するとともに、水害時にはベッドの一部を救命具として使用することができる救命具付き寝具である。
【００５８】
（ベッド２００の構成）
ベッド２００は、主として、敷きマット２０１とマット支持体２０２とで構成されている。敷きマット２０１は、図６に示すように、使用者Ｕの下に敷かれて使用者Ｕを下方から支持するとともに水害時には救命具を構成する部品であり、平板状に形成した硬質ウレタン発泡体で構成されている。より具体的には、敷きマット２０１は、ポリ塩化ビニル樹脂（ＰＶＣ）製のシート材からなる袋体内に硬質ウレタン発泡体を充填して構成されている。この場合、敷きマット２０１は、後述するマット支持体２０２における床板２０４の板面からはみ出さない大きさに形成されている。
【００５９】
また、敷きマット２０１は、使用者Ｕの重さでは沈まない浮力を有した硬質ウレタン発泡体で構成されている。本実施形態においては、敷きマット２０１は、床板２０４と平面視で同一の大きさ、具体的には、使用者Ｕの身長以上の長さ（例えば、２００ｃｍ）の長辺およびベッド２００の幅方向の長さ（例えば、１００ｃｍ）の長さで長辺に直交する幅方向となる短辺を有する平面視で長方形状に形成されている。また、敷きマット１１１の厚さは、２０ｃｍに形成されている。これにより、本実施形態においては、敷きマット２０１は、大人３名（約１８０ｋｇ）までの重さでも沈まない浮力を有するように構成されている。
【００６０】
ここで、硬質ウレタン発泡体は、敷きマット１１１と同様に、敷きマット２０１に浮力を与える材料であり、ＮＣＯ（イソシアネート）基を２個以上有するポリイソシアネートとＯＨ（ヒドロキシル）基を２個以上有するポリオールとを、触媒（例えば、アミン化合物など）、発泡剤（例えば、水やフルオロカーボンなど等）および整泡剤（例えば、シリコーンオイル）などと混合して泡化反応と樹脂化反応とを同時に行わせることによって得られる均質なプラスチック発泡体である。本実施形態においては、硬質ウレタン発泡体は、圧縮強さ（１０％圧縮）が少なくとも２．０ｋｇｆ／ｃｍ2以上である。すなわち、硬質ウレタン発泡体は、固体状であるが弾性変形が一切しないものに限定するものではなく、外部から受ける圧力によって弾性変形するものである。
【００６１】
マット支持体２０２は、図７に示すように、敷きマット２０１を支持する構造体であり、金属材または木材を台状に形成して構成されている。より具体的には、マット支持体２０２は、主として、脚体２０３、床板２０４およびヘッドボード２０５をそれぞれ備えて構成されている。脚体２０３は、マット支持体２０２全体を床面上で支持する部品である。本実施形態においては、脚体２０３は、３つの木製の板をヘッドボード２０５とともに平面視で方形枠状に組んで構成されている。
【００６２】
床板２０４は、脚体２０３に支持されて敷きマット２０１を支持するための部品であり、枠状に形成された脚体２０３内に水平状態で嵌め込まれている。本実施形態においては、床板２０４は、木製の板を平面視で長方形状に形成して構成されている。ヘッドボード２０５は、就寝する使用者Ｕの頭部に対向配置される部品である。本実施形態においては、ヘッドボード２０５は、木製の板を時計や本などの小物が置ける台状に形成して構成されている。すなわち、マット支持体２０２は、従来から一般的に使用されているベッドと同様に構成されている。
【００６３】
（ベッド２００の作動）
次に、上記のように構成したベッド２００の作動について説明する。まず、ベッド２００を使用する使用者Ｕは、敷きマット２０１およびマット支持体２０２をそれぞれ用意する。この場合、マット支持体２０２は、寝室などの居室にセットされる。
【００６４】
次に、使用者Ｕは、マット支持体２０２の床板２０４上に敷きマット２０１を載置する（図５参照）。この場合、敷きマット２０１は、床板２０４と平面視で同一の大きさに形成されているため、床板２０４からはみ出ることはない。これにより、使用者Ｕは、ベッド２００を完成させることができる。したがって、使用者Ｕは、ベッド２００を構成する敷きマット２０１上に寝ることができる。
【００６５】
次に、使用者Ｕは、ベッド２００における敷きマット２０１を救命具として使用することができる。この敷きマット２０１を救命具として使用する場合とは、水害などで浸水した建物から避難する場合である。具体的には、使用者Ｕは、図６に示すように、敷きマット２０１を床板２０４から取り除いて水上に配置して乗り込むことができる。この場合、敷きマット２０１は、使用者Ｕの重さでは沈まない浮力を有しているため、使用者Ｕを載せた状態で沈むことなく水上を移動することができる。
【００６６】
上記作動説明からも理解できるように、上記第２実施形態によれば、ベッド２００は、使用者Ｕが寝る敷きマット２０１が少なくとも一人の使用者Ｕの重さでは水中には沈まない浮力を有した硬質ウレタン発泡体で構成されているため、普段はベッドとして使用しながら、水害時にはマット支持体２０２から取り外して筏として使用することができる。この結果、本発明に係るベッド２００は、構成が小型かつ簡単で重量も軽く使い勝手やメンテナンス性が良好で普段の生活で日常的使用することができ、さらに水害時には避難具としても使用することができる。
【００６７】
さらに、本発明の実施にあたっては、上記第２実施形態に限定されるものではなく、本発明の目的を逸脱しない限りにおいて種々の変更が可能である。なお、各変形例の説明においては、上記第２実施形態と同様の部分については同じ符号を付して重複する説明は省略する。
【００６８】
例えば、上記第２実施形態においては、敷きマット２０１は、１つの敷きマット２０１で１人の使用者Ｕを載せることが大きさに形成した。しかし、敷きマット２０１は、１つの敷きマット２０１で２人以上の使用者Ｕを載せることが大きさに形成することもできる。また、敷きマット２０１は、２つ以上の敷きマット２０１で１人の使用者Ｕまたは２人以上の使用者Ｕが就寝可能な大きさに形成されていてもよい。この場合、複数の敷きマット２０１を互いに連結する連結具を備えるようにするとよい。
【００６９】
また、上記実施形態においては、敷きマット２０１は、平面視で長方形状に形成した。しかし、敷きマット２０１は、使用者Ｕが就寝できる形状に形成されていればよい。したがって、敷きマット２０１は、長方形状以外の形状、例えば、正方形などの方形、三角形や五角形などの多角形、円形または楕円形などに形成することができる。
【００７０】
また、上記実施形態においては、マット支持体２０２は、敷きマット２０１を床板２０４上に単に載置するように構成した。これにより、ベッド２００は、水害時には敷きマット２０１を素早くマット支持体２０２から取り外して船として使用することができる。しかし、マット支持体２０２は、敷きマット２０１における左右の幅方向の各側壁のうちの少なくとも一方の側壁を露出させた状態で支持することで水害時に敷きマット２０１を素早くマット支持体２０２から取り外して船として使用することができる。
【００７１】
また、マット支持体２０２は、図８および図９にそれぞれ示すように、床板２０４の周囲に上方に向かって突出して床板２０４の上面を包囲するマット包囲壁２０６を形成して敷きマット２０１をマット包囲壁２０６の内側に嵌め込むように構成することもできる。これによれば、ベッド２００は、マット支持体２０２が敷きマット２０１の外周部を囲むマット包囲壁２０６を備えて敷きマット２０１がこのマット包囲壁２０６の内側に嵌め込まれているため、敷きマット２０１の位置ずれを防止することができる。
【符号の説明】
【００７２】
Ｕ…使用者、
１００…ベッド、
１１０…小ベッド、１１１…敷きマット、１１１ａ…寝床面、１１１ｂ…下面、１１２…筒状壁体、１１２ａ〜１１２ｄ…側壁、１１３…凹状切欠き部、１１４…オール、１１４ａ…保持体、１１５…連結部、１１６…ロープ、１１７…空洞部、
２００…ベッド、
２０１…敷きマット、２０２…マット支持体、２０３…脚体、２０４…床板、２０５…ヘッドボード、２０６…マット包囲壁。
【図１】
2020065835.tif 000003
【図２】
2020065835.tif 000004
【図３】
2020065835.tif 000005
【図４】
2020065835.tif 000006
【図５】
2020065835.tif 000007
【図６】
2020065835.tif 000008
【図７】
2020065835.tif 000009
【図８】
2020065835.tif 000010
【図９】
2020065835.tif 000011